(57)【要約】【課題】カメラ画像をカラオケ画像、歌詞などと一緒に合成した画像を表示して、カラオケ歌唱時の自分の映像を見ながらのカラオケ再生が可能でなかった。【解決手段】カラオケ再生時、外部メモリ１８側から供給されるカラオケ伴奏音のみ、又は、カラオケ伴奏音とマイクロホン部１が輪から供給される音声信号とを加算して出力し、また、カラオケ再生時、外部メモリ側から供給されるカラオケ画像とカラオケ歌詞と補助データとのいずれか１つを出力するか、又は、２以上を加算して出力し、あるいは、カメラ部３側から供給される画像信号とカラオケ歌詞と補助データとのいずれか１つを出力するか、又は、２以上を加算して出力する。【選択図】      図１
2007094298.tif 000002
【特許請求の範囲】
【請求項１】
マイクロホン部と、カメラ部と、メモリ部と、制御部と、スピーカ部と、ディスプレイ部と、操作部とを一体に搭載し、かつ外部メモリを着脱自在に装着可能な構成を有し、録画再生機能及びカラオケ再生機能を有する携帯型カラオケ装置であって、
前記マイクロホン部側、前記メモリ部側、前記外部メモリ側からそれぞれ供給される音声信号を選択又は加算して前記スピーカ部側へ出力する音声選択加算回路と、
前記カメラ部側、前記メモリ部側、前記外部メモリ側、前記制御部からそれぞれ供給される画像信号を選択又は加算して前記ディスプレイ部側へ出力する画像選択加算回路とを備えており、
前記外部メモリには、カラオケ伴奏音、カラオケ画像、カラオケ歌詞に関するカラオケデータが予め記録されており、
前記メモリ部は、前記マイクロホン部側から供給される音声信号及び前記カメラ部側から供給される画像信号をそれぞれ書き込み記録／読み出し再生を行い、
前記操作部は、少なくとも録画、再生、カラオケ再生を操作指示し、
前記制御部は、前記操作部の操作に基づいて装置各部の制御を行うと共に、少なくとも録画、再生、カラオケ再生に関する画面表示のための補助データを出力し、
前記音声選択加算回路は、
録画時、前記マイクロホン部側から供給される音声信号のみを出力し、
再生時、前記メモリ部側から供給される音声信号のみを出力し、
カラオケ再生時、前記外部メモリ側から供給されるカラオケ伴奏音のみ、又は、カラオケ伴奏音と前記マイクロホン部側から供給される音声信号とを加算して出力することを特徴とする携帯型カラオケ装置。
【請求項２】
マイクロホン部と、カメラ部と、メモリ部と、制御部と、スピーカ部と、ディスプレイ部と、操作部とを一体に搭載し、かつ外部メモリを着脱自在に装着可能な構成を有し、録画再生機能及びカラオケ再生機能を有する携帯型カラオケ装置であって、
前記マイクロホン部側、前記メモリ部側、前記外部メモリ側からそれぞれ供給される音声信号を選択又は加算して前記スピーカ部側へ出力する音声選択加算回路と、
前記カメラ部側、前記メモリ部側、前記外部メモリ側、前記制御部からそれぞれ供給される画像信号を選択又は加算して前記ディスプレイ部側へ出力する画像選択加算回路とを備えており、
前記外部メモリには、カラオケ伴奏音、カラオケ画像、カラオケ歌詞に関するカラオケデータが予め記録されており、
前記メモリ部は、前記マイクロホン部側から供給される音声信号及び前記カメラ部側から供給される画像信号をそれぞれ書き込み記録／読み出し再生を行い、
前記操作部は、少なくとも、録画、再生、カラオケ再生を操作指示し、
前記制御部は、前記操作部の操作に基づいて装置各部の制御を行うと共に、少なくとも録画、再生、カラオケ再生に関する画面表示のための補助データを出力し、
前記画像選択加算回路は、
録画時、前記カメラ部側から供給される画像信号及び／又は前記制御から供給される補助データを出力し、
再生時、前記メモリ部側から供給される画像信号及び／又は前記制御から供給される補助データを出力し、
カラオケ再生時、外部メモリ側から供給されるカラオケ画像とカラオケ歌詞と補助データとを加算して出力するか、又は、カラオケ画像とカラオケ歌詞とを加算して出力するか、あるいは、カメラ部側から供給される画像信号とカラオケ歌詞と補助データとを加算して出力するか、又は、カメラ部側から供給される画像信号とカラオケ歌詞とを加算して出力することを特徴とする携帯型カラオケ装置。
【発明の詳細な説明】
【技術分野】
【０００１】
本発明は、例えばビデオムービーに着脱自在に装着可能な外部メモリに、カラオケ用コンテンツ（カラオケ画像、伴奏、歌詞）を予め記録しておき、カラオケ再生時に、このカラオケ用コンテンツを含む適切な画像と音声とを用いた、録画再生機能とカラオケ機能とを併せもつ携帯型カラオケ装置に関する。
【背景技術】
【０００２】
図２は携帯型録画装置を説明するための構成図である。
図２に示すように、携帯型録画装置Ａは、例えばビデオムービーであって、マイクロホン（マイク）１、マイク音声信号処理回路２、カメラ３、カメラ画像信号処理回路４、記録エンコーダ（記録Enc.）５、メモリ記録インターフェース（メモリ記録I/F）６、メモリ７、メモリ再生インターフェース（メモリ再生I/F）８、再生デコーダ（再生Dec.）９、音声選択加算回路１０、音声出力信号処理回路１１、スピーカ１２、画像選択加算回路１３、画像出力信号処理回路１４、ディスプレイ１５、マイコン（システムコントローラ）１６、操作部１７を有している。
【０００３】
図２中、操作部１７のボタンなどの操作により記録／再生などの動作モードが使用者に選択されが、この操作信号はマイコン１６で処理されて図中の矢印に示す制御信号で各部の動作を決定制御する。またマイコン１６からは記録時の時刻、日付、タイムコード、記録モードなどの補助データ(文字データ)も出力する（信号Tr）。マイク１より入力された音声信号はマイク音声信号処理回路２で増幅などの信号処理がなされ出力される（信号Ar）。カメラ３より入力された画像信号はカメラ画像信号処理回路４で増幅などの信号処理がなされ出力される（信号Vr）。
【０００４】
記録Enc.５では、前記した信号Ar，Vr、Trを、記録用のメモリ７に記録する信号形態に統合して変換され、メモリ記録I/F６を介してメモリ７に記録される。メモリ７の形態は半導体、ディスク、テープなどメモリ媒体の形態は何でもよい。メモリ７から再生された信号はメモリ再生1/F８を介して再生Dec.９に送られて、再生音声信号Ap、再生画像信号Vp、再生補助データ(文字データ)信号Tpとして、分離、変換される。
【０００５】
前記した信号Ar,Apは、音声選択加算回路１０に供給されて信号Asとして出力される。信号Asは音声出力信号処理回路１１でスピーカ駆動用信号に変換され、スピーカ１２へ出力される。一方、前記した信号Vr,Vpは、画像選択加算回路１３に供給されて信号Vsとして出力される。信号Vsは画像出力信号処理回路１４でディスプレイ駆動用信号に変換され、ディスプレイ１５へ出力される。
【０００６】
次に、記録時、再生の信号形態について説明する。
記録時の信号Asは、As=Ar  、又は、As出力なし、
記録時の信号Vsは、Vs=Vr  、又は、Vs=Vr＋Tr  、
が選択されて、録画記録される内容の画像と音声とのデータが選択出力される。
【０００７】
また、再生時の信号Asは、As=Ap  、
再生時の信号Vsは、Vs=Vp  、又は、Vs=Vp＋Tp  、
が選択されて、録画記録されたメモリ７の画像と音声とのデータが選択出力される。
【０００８】
ところで、従来から携帯型カラオケ装置が知られている。
即ち、カラオケをする場所に応じてテレビ等の出力装置が必要か否か選択することができるとともに、出力装置のない場所でもカラオケを楽しむことができる携帯カラオケ装置が知られている(例えば、特開２００３−１０８１６４号公報)。その構成は、ハンディマイクとスピーカユニットはコネクタを介して着脱可能且つ装着時には一体となるように形成し、ハンディマイクはマイクからに入力された演奏者の音声と記憶装置から読み出した伴奏曲とをかさんしてオーディオ信号を作成し、作成されたオーディオ信号を上記コネクタを介してスピーカユニットに出力し、スピーカユニットのスピーカから出力されるものである。
【０００９】
【特許文献１】特開２００３−１０８１６４号公報
【発明の開示】
【発明が解決しようとする課題】
【００１０】
前述した携帯型録画装置Ａは、撮影した画像を音声と共に記録再生する録画再生機能だけで、カラオケ機能は搭載されておらず、また従来の携帯カラオケ装置はカラオケ機能しかなかった。このために、携帯型録画装置Ａのマイクロホン１で歌っている人の音声とカラオケ伴奏音とをミキシングして再生したり、携帯型録画装置Ａのカメラ３で撮影している被写体とカラオケ歌詞とを合成した画像を見たりすることが出来ず、カラオケを身近に楽しむことができなかった。
そこで本発明は上記した課題に鑑みて創案されたものであり、カラオケ再生時、外部メモリ側から供給されるカラオケ伴奏音のみ、又は、このカラオケ伴奏音とマイクロホン部側から供給される音声信号とを加算して出力し、一方、外部メモリ側から供給されるカラオケ画像とカラオケ歌詞と補助データとを加算して出力するか、又は、カラオケ画像とカラオケ歌詞とを加算して出力するか、あるいは、カメラ部側から供給される画像信号とカラオケ歌詞と補助データとを加算して出力するか、又は、カメラ部側から供給される画像信号とカラオケ歌詞とを加算して出力する携帯型カラオケ装置を提供することを目的とする。
【課題を解決するための手段】
【００１１】
本発明は、上述した課題を解決するため、次の（１）（２）の構成を有する携帯型カラオケ装置を提供する。
（１）図１に示すように、マイクロホン部１と、カメラ部３と、メモリ部７と、制御部（マイコン（システムコントローラ））１６と、スピーカ部１２と、ディスプレイ部１５と、操作部１７とを一体に搭載し、かつ外部メモリ１８を着脱自在に装着可能な構成を有し、録画再生機能及びカラオケ再生機能を有する携帯型カラオケ装置Ｂであって、
前記マイクロホン部1側、前記メモリ部7側、前記外部メモリ１８側からそれぞれ供給される音声信号を選択又は加算して前記スピーカ部１２側へ出力する音声選択加算回路１０と、
前記カメラ部３側、前記メモリ部7側、前記外部メモリ１８側、前記制御部１６からそれぞれ供給される画像信号を選択又は加算して前記ディスプレイ部１５側へ出力する画像選択加算回路１３とを備えており、
前記外部メモリ１８には、カラオケ伴奏音、カラオケ画像、カラオケ歌詞に関するカラオケデータが予め記録されており、
前記メモリ部７は、前記マイクロホン部1側から供給される音声信号及び前記カメラ部３側から供給される画像信号をそれぞれ書き込み記録／読み出し再生を行い、
前記操作部１７は、少なくとも録画、再生、カラオケ再生を操作指示し、
前記制御部１６は、前記操作部１７の操作に基づいて装置各部の制御を行うと共に、少なくとも録画、再生、カラオケ再生に関する画面表示のための補助データを出力し、
前記音声選択加算回路１０は、
録画時、前記マイクロホン部１側から供給される音声信号のみを出力し、
再生時、前記メモリ部７側から供給される音声信号のみを出力し、
カラオケ再生時、前記外部メモリ１８側から供給されるカラオケ伴奏音のみ、又は、カラオケ伴奏音と前記マイクロホン部１が輪から供給される音声信号とを加算して出力することを特徴とする携帯型カラオケ装置。
（２）  マイクロホン部と、カメラ部と、メモリ部と、制御部と、スピーカ部と、ディスプレイ部と、操作部とを一体に搭載し、かつ外部メモリを着脱自在に装着可能な構成を有し、録画再生機能及びカラオケ再生機能を有する携帯型カラオケ装置であって、
前記マイクロホン部側、前記メモリ部側、前記外部メモリ側からそれぞれ供給される音声信号を選択又は加算して前記スピーカ部側へ出力する音声選択加算回路と、
前記カメラ部側、前記メモリ部側、前記外部メモリ側、前記制御部からそれぞれ供給される画像信号を選択又は加算して前記ディスプレイ部側へ出力する画像選択加算回路とを備えており、
前記外部メモリには、カラオケ伴奏音、カラオケ画像、カラオケ歌詞に関するカラオケデータが予め記録されており、
前記メモリ部は、前記マイクロホン部側から供給される音声信号及び前記カメラ部側から供給される画像信号をそれぞれ書き込み記録／読み出し再生を行い、
前記操作部は、少なくとも、録画、再生、カラオケ再生を操作指示し、
前記制御部は、前記操作部の操作に基づいて装置各部の制御を行うと共に、少なくとも録画、再生、カラオケ再生に関する画面表示のための補助データを出力し、
前記画像選択加算回路は、
録画時、前記カメラ部側から供給される画像信号及び／又は前記制御から供給される補助データを出力し、
再生時、前記メモリ部側から供給される画像信号及び／又は前記制御から供給される補助データを出力し、
カラオケ再生時、外部メモリ側から供給されるカラオケ画像とカラオケ歌詞と補助データとを加算して出力するか、又は、カラオケ画像とカラオケ歌詞とを加算して出力するか、あるいは、カメラ部側から供給される画像信号とカラオケ歌詞と補助データとを加算して出力するか、又は、カメラ部側から供給される画像信号とカラオケ歌詞とを加算して出力することを特徴とする携帯型カラオケ装置。
【発明の効果】
【００１２】
本発明によれば、録画再生機能を有しかつ携帯カラオケ専用装置と同等の音と画像とを用いてカラオケ再生を楽しむことができ、特に、カメラ画像をカラオケ画像、歌詞などと一緒に合成した画像を表示できるから、カラオケ歌唱時の自分の映像を見ながらのカラオケ再生も可能である。
【発明を実施するための最良の形態】
【００１３】
図１は本発明の携帯型カラオケ装置の構成を説明するための図である。
本発明の携帯型カラオケ装置Ｂは、例えばビデオムービー(携帯型録画装置Ａ)にカラオケ再生機能を新たに付加した構成のものであって、具体的には、携帯型録画装置Ａ(図２)に、メモリ2 １８、メモリ再生インターフェース（メモリ2再生I/F）１９、再生デコーダ（再生Dec.2）２０を新たに付加した構成のものである。換言すれば、本発明装置はカラオケデータ（カラオケ伴奏、カラオケ画像、カラオケ歌詞）を再生するのに適切な音声選択加算回路１０、画像選択加算回路１３を備えることにより、従来の携帯型録画装置にカラオケ再生機能を付加したものである。
【００１４】
図１に示すように、携帯型カラオケ装置Ｂは、マイクロホン（マイク）１、マイク音声信号処理回路２、カメラ３、カメラ画像信号処理回路４、記録エンコーダ（記録Enc.）５、メモリ記録インターフェース（メモリ記録I/F）6、メモリ（メモリ1）7、メモリ再生インターフェース（メモリ1再生I/F）8、再生デコーダ（再生Dec.1）9、音声選択加算回路１０、音声出力信号処理回路１１、スピーカ１２、画像選択加算回路１３、画像出力信号処理回路１４、ディスプレイ１５、マイコン（システムコントローラ）１６、操作部１７、メモリ（メモリ２）１８、メモリ再生インターフェース（メモリ2再生I/F）１９、再生デコーダ（再生Dec.2）２０を有している。
【００１５】
上述した携帯型録画装置Ａ(図２)と異なる点を中心に図面を参照しつつ以下に説明する。なお図中の各信号Ar,Ap,Ak,Vr,Vp,Vk,Tr,Tp,Tk,As,Vsはアナログ信号でもディジタル信号でも良い。各信号Ar,Ap,Ak,Vr,Vp,Vk,Tr,Tp,Tkは音声選択加算回路１０、画像選択加算回路１３に入力されるまでの処理は、図２を用いて説明した処理と同じである。また、記録時と再生時の信号As、Vsなどの各信号の流れも既述したのと同じである。
【００１６】
カラオケ再生時のマイク音声信号処理回路２にはマイク音声はエコーなどのカラオケ特有の新声処理が新たになされる。メモリ１８には静止画メモリ機能などに加えてカラオケ伴奏音データ、カラオケ歌詞データ、カラオケ画像データなどの複数の信号を併せたカラオケテータが記録されている。
【００１７】
このメモリ１８のカラオケデータの記録の形態は下記のようなものが例として挙げられるが、データ記録の形態はこの例に限定されない。またメモリ媒体の形態も半導体、ディスク、テープなど何でもよい。このメモリ１８は記録済みデータの半導体メモリとして販売されたメモリであっても良く、このメモリを本装置に着脱自在に装着する。
【００１８】
カラオケ再生時、メモリ１８から読み出されるデータはメモリ2再生I/F１９を介して再生Dec.2 ２０に送られて、カラオケ再生伴奏信号Ak、カラオケ再生画像信号Vk、カラオケ歌詞データ信号Tkとして分離、変換されて、音声選択加算回路１０と画像選択加算回路１３に送られる。カラオケ再生時には音声選択加算回路１０の出力Asと画像選択加算回路１３の出力Vsは次のように選択加算される。
【００１９】
カラオケ再生時の各信号形態について説明する。
・信号Asは、As=Ar＋Ak(カラオケ伴奏とマイク音声の加算)、
又は、As=Ak(カラオケ伴奏のみ)である。
【００２０】
・信号Vsは、Vs=Vk十Tk(カラオケ画像とカラオケ歌詞の加算)、
又は、Vs=Vk十Tk十Tr(カラオケ画像とカラオケ歌詞と補助データの加算)、
又は、Vs=Vr十Tk(カメラ画像とカラオケ歌詞の加算)、
又は、Vs=Vr十Tk十Tr (カメラ画像とカラオケ歌詞と補助データの加算)である。
【００２１】
信号Trの補助データは、「記録時の時刻、日付、タイムコード、記録モードなど」に加えて、カラオケ機能用の「カラオケ再生時に曲選択をするための曲一覧や再生テンポ、キーなどの補助データ(文字データ)」も出力する。
【００２２】
メモリ７とメモリ１８、メモリ1再生1/F８とメモリ2再生1/F １９、再生Dec.1 ９と再生Dec,2 ２０はそれぞれ、１つの媒体やデバイスに統合されていてもよい。
以上のように選択加算された信号でスピーカ１２とディスプレイ１５に音声と画像を出力する手段を持つことによりカラオケ専用装置と同等の音と画像を携帯型録画装置でも再生可能である。またカメラ画像も表示できることによりカラオケ歌唱時の自分の映像を見ながらのカラオケ再生も可能である。
【図面の簡単な説明】
【００２３】
【図１】本発明の携帯型カラオケ装置の構成を説明するための図である
【図２】携帯型録画装置を説明するための構成図である。
【符号の説明】
【００２４】
１  マイクロホン
３  カメラ
７  メモリ
１０  音声選択加算回路
１２  スピーカ
１３  画像選択加算回路
１５  ディスプレイ
１６  マイコン（システムコントローラ）（制御部）
１７  操作部
１８  外部メモリ
Ｂ  携帯型カラオケ装置
【図１】
2007094298.tif 000003
【図２】
2007094298.tif 000004